(57)【要約】【課題】部品の数を削減し、低コストで製造可能なロータリーダンパを提供する。【解決手段】本発明のロータリーダンパは、バルブ(18)を備え、バルブ(18)は、弁体(25)を備え、弁体(25)は、オイルが通過する穴(27)に挿入される線状部(37)と、弾性を有し、線状部(37)がオイルの圧力差によって穴(27)に進入するときに変形する弾性部(38)とを備えることを特徴とする。弁体(25)が線状部(37)及び弾性部(38)を有するため、１つの部品で穴(27)を通過するオイルの流量を制御することができる。【選択図】図９
2018132131.tif 000002
【特許請求の範囲】
【請求項１】
バルブを備え、該バルブは、弁体を備え、該弁体は、オイルが通過する穴に挿入される線状部と、弾性を有し、前記線状部がオイルの圧力差によって前記穴に進入するときに変形する弾性部とを備えることを特徴とするロータリーダンパ。
【請求項２】
前記弁体が線状材料で作られていることを特徴とする請求項１に記載のロータリーダンパ。
【請求項３】
前記弾性部が引張荷重を受けて変形するばねであることを特徴とする請求項１に記載のロータリーダンパ。
【請求項４】
前記弾性部が圧縮荷重を受けて変形するばねであることを特徴とする請求項１に記載のロータリーダンパ。
【発明の詳細な説明】
【技術分野】
【０００１】
本発明は、ロータリーダンパに関する。
【背景技術】
【０００２】
従来、バルブを備え、該バルブは、オイルが通過する穴に挿入される弁体と、該弁体がオイルの圧力差によって前記穴に進入するときに変形するばねとを備えるロータリーダンパが知られている（例えば、特許第４６２５４５１号公報参照）。
【０００３】
しかしながら、従来のロータリーダンパは、穴を通過するオイルの流量を制御するために、２つの部品、すなわち、弁体とばねを必要としていた。
【先行技術文献】
【特許文献】
【０００４】
【特許文献１】特許第４６２５４５１号公報
【発明の概要】
【発明が解決しようとする課題】
【０００５】
本発明が解決しようとする課題は、部品の数を削減し、低コストで製造可能なロータリーダンパを提供することである。
【課題を解決するための手段】
【０００６】
上記課題を解決するため、本発明は、バルブを備え、該バルブは、弁体を備え、該弁体は、オイルが通過する穴に挿入される線状部と、弾性を有し、前記線状部がオイルの圧力差によって前記穴に進入するときに変形する弾性部とを備えることを特徴とするロータリーダンパを提供する。
【発明の効果】
【０００７】
本発明によれば、弁体が線状部及び弾性部を有するため、１つの部品で穴を通過するオイルの流量を制御することができる。従って、低コストで製造可能なロータリーダンパを提供することが可能になる。
【図面の簡単な説明】
【０００８】
【図１】実施例１に係るロータリーダンパの横断面を示す断面図である。
【図２】実施例１に係るロータリーダンパの縦断面を示す断面図である。
【図３】第１及び第２のベーンの平面図である。
【図４】第１及び第２のベーンの縦断面を示す断面図である。
【図５】第１及び第２のベーンの底面図である。
【図６】実施例１で採用した第１及び第２の弁体の平面図である。
【図７】実施例１で採用した第１及び第２の弁体の正面図である。
【図８】実施例１で採用した第１及び第２の弁体の底面図である。
【図９】実施例１で採用した第１のバルブの縦断面を示す断面図である。
【図１０】実施例１に係るロータリーダンパの動作を説明するための断面図である。
【図１１】実施例１に係るロータリーダンパの動作を説明するための断面図である。
【図１２】実施例１に係るロータリーダンパの動作を説明するための断面図である。
【図１３】実施例２で採用したバルブの縦断面を示す断面図である。
【図１４】実施例２で採用した弁体の平面図である。
【図１５】実施例２で採用した弁体の正面図である。
【図１６】実施例２で採用した弁体の底面図である。
【図１７】実施例２に係るロータリーダンパの動作を説明するための断面図である。
【図１８】実施例２に係るロータリーダンパの動作を説明するための断面図である。
【図１９】実施例２に係るロータリーダンパの動作を説明するための断面図である。
【発明を実施するための形態】
【０００９】
以下、本発明の実施例に基づいて本発明の実施形態をさらに詳しく説明するが、本発明の技術的範囲は以下の説明の内容に限定されるものではない。
【実施例１】
【００１０】
実施例１は、本発明の一実施形態である。実施例１に係るロータリーダンパは、図１及び図２に示したように、シリンダ(10)、第１の油室(11)、第２の油室(12)、第１の隔壁(13)、第２の隔壁(14)、オイル、第１のベーン(15)、第２のベーン(16)、シャフト(17)、第１のバルブ(18)、第２のバルブ(19)及びキャップ(20)を有して構成されている。
【００１１】
第１及び第２の油室(11, 12)は、シリンダ(10)の中に形成され、第１及び第２の隔壁(13, 14)で仕切られている。第１及び第２の隔壁(13, 14)は、シリンダ(10)と一体に成形されている。オイルは、第１及び第２の油室(11, 12)に充填されている。第１のベーン(15)は、第１の油室(11)の中に設けられ、第１の油室(11)を第１の室(21)と第２の室(22)に区画している。第２のベーン(16)は、第２の油室(12)の中に設けられ、第２の油室(12)を第３の室(23)と第４の室(24)に区画している。第１及び第２のベーン(15, 16)は、シャフト(17)と一体に成形されている。第１のバルブ(18)は、第１のベーン(15)に設けられ、第１の弁体(25)、第１の弁室(26)、第１の穴(27)、第１の流路(28)、第２の流路(29)及び第１のざぐり穴(30)を有して構成されている。第２のバルブ(19)は、第２のベーン(16)に設けられ、第２の弁体(31)、第２の弁室(32)、第２の穴(33)、第３の流路(34)、第４の流路(35)及び第２のざぐり穴(36)を有して構成されている。キャップ(20)は、シリンダ(10)に取り付けられ、シャフト(17)の一端を支持している。シャフト(17)の他端は、シリンダ(10)に支持されている。
【００１２】
第１のバルブ(18)について詳述する。第１の弁室(26)、第１の穴(27)、第１及び第２の流路(28, 29)並びに第１のざぐり穴(30)は、図３乃至図５に示したように、第１のベーン(15)に形成されている。第１の弁室(26)と第１の穴(27)は接続している。第１の弁室(26)は、第１の穴(27)の内径よりも大きい内径を有する。第１の流路(28)は、第１の弁室(26)と第２の室(22)を連通させるために、第１のベーン(15)の上端面に形成されている。第２の流路(29)は、第１の穴(27)と第１の室(21)を連通させるために、第１のベーン(15)の下端面に形成されている。第１のざぐり穴(30)は、第１のベーン(15)の上端面に形成されている。第１のざぐり穴(30)は、第１の弁室(26)の内径よりも大きい内径を有する。
【００１３】
第１の弁体(25)は、図６乃至図８に示したように、線状材料から作られた１つの部品である。第１の弁体(25)は、第１の線状部(37)、第１の弾性部(38)及び第１の環状部(39)を有して構成されている。第１の弾性部(38)は、コイル状に成形された部分であり、弾性を有する。第１の弾性部(38)は、引張荷重を受けて変形するばねであり、引張コイルばねと同様の働きをする。第１の線状部(37)は、第１の弾性部(38)から垂直に延びる線状の部分であり、第１の弾性部(38)の中心軸上に存する。第１の環状部(39)は、環状に成形された部分であり、第１の弾性部(38)の上端に存する。第１の環状部(39)は、第１の弾性部(38)の外径よりも大きい外径を有する。線状材料は、第１の線状部(37)及び第１の弾性部(38)を有する第１の弁体(25)を１つの部品として成形するのに好適な材料である。
【００１４】
第１の弁体(25)は、図９に示したように、第１の弁室(26)に収容される。第１のざぐり穴(30)は、第１の環状部(39)が上下方向にスライドし得る深さを有し、第１のざぐり穴(30)の底面は、第１の環状部(39)を支持し得る。第１の弁体(25)の設置時には、第１の環状部(39)が第１のざぐり穴(30)の底面に当接し、第１の線状部(37)が第１の穴(27)に僅かに挿入されている。
【００１５】
従来技術では、まず、ばねを穴の中に入れ、次いで、弁体を弁室に入れていた（特許第４６２５４５１号公報の図２参照）。しかし、実施例１では、第１の弁体(25)を第１の弁室(26)に入れるだけでよいから、工程が従来技術よりも半減し、組み立てが容易である。
【００１６】
第２のバルブ(19)について詳述する。第２の弁室(32)、第２の穴(33)及び第２のざぐり穴(36)は、図３乃至図５に示したように、第２のベーン(16)に形成される点を除いて、第１の弁室(26)、第１の穴(27)及び第１のざぐり穴(30)とそれぞれ同じ構成である。第３の流路(34)は、第２の弁室(32)と第４の室(24)を連通させるために、第２のベーン(16)の上端面に形成されている。第４の流路(35)は、第２の穴(33)と第３の室(23)を連通させるために、第２のベーン(16)の下端面に形成されている。第２の弁体(31)は、第１の弁体(25)と同じ構成である。第２の弁体(31)は、第２の弁室(32)に収容される。
【００１７】
実施例１に係るロータリーダンパは、以下のように動作する。すなわち、シャフト(17)が、図１において時計回り方向に回転したときには、第１及び第２のベーン(15, 16)が第１及び第２の油室(11, 12)の中でシャフト(17)と同じ方向に回転することによって、第２及び第４の室(22, 24)のオイルが加圧され、第１及び第３の室(21, 23)のオイルが減圧される。第１の室(21)のオイルと第２の室(22)のオイルの圧力差により、第１の線状部(37)が第１の穴(27)に進入する。同時に、第３の室(23)のオイルと第４の室(24)のオイルの圧力差により、第２の弁体(31)の第２の線状部(40)が第２の穴(33)に進入する。
【００１８】
第１の弾性部(38)は、第１の線状部(37)が第１の穴(27)に進入するときに変形する。より詳細には、第１の線状部(37)が第１の穴(27)に進入することによって、第１の弾性部(38)が引張荷重を受けて変形する。同様に、第２の弁体(31)の第２の弾性部(41)も第２の線状部(40)が第２の穴(33)に進入するときに変形する。
【００１９】
第１の弾性部(38)の変形によって、第１の弾性部(38)に復元力が発生する。そして、この力が第１の線状部(37)の進入を妨げる抵抗となるため、第１の線状部(37)が第１の穴(27)へ進入する深さは、シャフト(17)を回転させる力が大きくなるに従って深くなる。すなわち、シャフト(17)を回転させる力が小さいときは、オイルの圧力差が小さいため、図１０に示したように、第１の線状部(37)が第１の穴(27)へ進入する深さが浅くなり、シャフト(17)を回転させる力が大きいときは、オイルの圧力差が大きいため、図１１に示したように、第１の線状部(37)が第１の穴(27)へ進入する深さが深くなる。同様に、第２の線状部(40)が第２の穴(33)へ進入する深さもシャフト(17)を回転させる力が大きくなるに従って深くなる。
【００２０】
第１の線状部(37)が第１の穴(27)へ進入する深さが深くなるほど、オイルが第１の穴(27)を通過し難くなる。そのため、第１の穴(27)を通過するオイルの単位時間当たりの流量は、第１の線状部(37)が第１の穴(27)へ進入する深さが深くなるほど少なくなる。同様に、第２の穴(33)を通過するオイルの単位時間当たりの流量も第２の線状部(40)が第２の穴(33)へ進入する深さが深くなるほど少なくなる。したがって、シャフト(17)を回転させる力が小さいときは、第１及び第２のベーン(15, 16)が受けるオイルの抵抗が小さくなり、シャフト(17)を回転させる力が大きいときは、第１及び第２のベーン(15, 16)が受けるオイルの抵抗が大きくなる。その結果、シャフト(17)の回転速度は、シャフト(17)を回転させる力が変化しても略一定、すなわち、略同じ速度になる。
【００２１】
一方、シャフト(17)が、図１において反時計回り方向に回転したときには、第１及び第２のベーン(15, 16)が第１及び第２の油室(11, 12)の中でシャフト(17)と同じ方向に回転することによって、第１及び第３の室(21, 23)のオイルが加圧され、第２及び第４の室(22, 24)のオイルが減圧される。図１２に示したように、第１の室(21)のオイルと第２の室(22)のオイルの圧力差により、第１の環状部(39)は、第１のざぐり穴(30)の底面から離れてスライドし、また、第１の線状部(37)は、第１の穴(27)から脱出する。同時に、第３の室(23)のオイルと第４の室(24)のオイルの圧力差により、第２の弁体(31)の第２の環状部（42)が第２のざぐり穴(36)の底面から離れてスライドし、また、第２の線状部(40)が第２の穴(33)から脱出する。このときオイルは、全開の第１及び第２の穴(27, 33)を通過するため、第１及び第２のベーン(15, 16)が受けるオイルの抵抗は非常に小さくなる。
【００２２】
実施例１に係るロータリーダンパは、上記したように、弁体（第１及び第２の弁体(25, 31)）が線状部（第１及び第２の線状部(37, 40)）及び弾性部（第１及び第２の弾性部(38, 41)）を有するため、１つの部品で穴（第１及び第２の穴(27, 33)）を通過するオイルの流量を制御することができる。また、１つの部品であるため、従来技術の２つの部品の組み合わせよりも流量の調節が容易であり、流量のばらつきも少ないという利点がある。
【実施例２】
【００２３】
実施例２は、本発明の他の実施形態である。実施例２で採用したバルブ(43)は、図１３に示したように、弁体(44)、弁室(45)、穴(46)及び２つの流路(47, 48)を有して構成されている。弁体(44)は、図１４乃至図１６に示したように、線状材料から作られた１つの部品であり、線状部(49)及び弾性部(50)を有する。弾性部(50)は、コイル状に成形された部分であり、弾性を有する。弾性部(50)は、圧縮荷重を受けて変形するばねであり、圧縮コイルばねと同様の働きをする。線状部(49)は、弾性部(50)から延びる線状の部分であり、弾性部(50)の中心軸上に存する。
【００２４】
弁体(44)は、図１３に示したように、弁室(45)に収容される。弁室(45)は、弾性部(50)が上下方向にスライドし得る深さを有し、弁室(45)の底面は、弾性部(50)を支持し得る。弁体(44)の設置時には、弾性部(50)が弁室(45)の底面に当接し、線状部(49)が穴(46)に僅かに挿入されている。実施例２では、実施例１と同様に、弁体(44)を弁室(45)に入れるだけでよいから、工程が従来技術よりも半減し、組み立てが容易である。
【００２５】
弾性部(50)は、線状部(49)がオイルの圧力差により穴(46)に進入するときに変形する。より詳細には、線状部(49)が穴(46)に進入することによって、弾性部(50)が圧縮荷重を受けて変形する。弾性部(50)の変形によって、弾性部(50)に復元力が発生する。そして、この力が線状部(49)の進入を妨げる抵抗となるため、線状部(49)が穴(46)へ進入する深さは、シャフトを回転させる力が大きくなるに従って深くなる。すなわち、シャフトを回転させる力が小さいときは、オイルの圧力差が小さいため、図１７に示したように、線状部(49)が穴(46)へ進入する深さが浅くなり、シャフトを回転させる力が大きいときは、オイルの圧力差が大きいため、図１８に示したように、線状部(49)が穴(46)へ進入する深さが深くなる。
【００２６】
線状部(49)が穴(46)へ進入する深さが深くなるほど、オイルが穴(46)を通過し難くなるため、穴(46)を通過するオイルの単位時間当たりの流量は、線状部(49)が穴(46)へ進入する深さが深くなるほど少なくなる。したがって、シャフトを回転させる力が小さいときは、ベーンが受けるオイルの抵抗が小さくなり、シャフトを回転させる力が大きいときは、ベーンが受けるオイルの抵抗が大きくなる。その結果、シャフトの回転速度は、シャフトを回転させる力が変化しても略一定、すなわち、略同じ速度になる。
【００２７】
シャフトが逆方向へ回転したときには、図１９に示したように、オイルの圧力差により弾性部(50)が弁室(45)の底面から離れてスライドし、また、線状部(49)が穴(46)から脱出する。このときオイルは、全開の穴(46)を通過するため、ベーンが受けるオイルの抵抗は非常に小さくなる。
【００２８】
実施例２に係るロータリーダンパは、上記したように、弁体(44)が線状部(49)及び弾性部(50)を有するため、１つの部品で穴(46)を通過するオイルの流量を制御することができる。また、１つの部品であるため、従来技術の２つの部品の組み合わせよりも流量の調節が容易であり、流量のばらつきも少ないという利点がある。
【符号の説明】
【００２９】
１０  シリンダ
１１  第１の油室
１２  第２の油室
１３  第１の隔壁
１４  第２の隔壁
１５  第１のベーン
１６  第２のベーン
１７  シャフト
１８  第１のバルブ
１９  第２のバルブ
２０  キャップ
２１  第１の室
２２  第２の室
２３  第３の室
２４  第４の室
２５  第１の弁体
２６  第１の弁室
２７  第１の穴
２８  第１の流路
２９  第２の流路
３０  第１のざぐり穴
３１  第２の弁体
３２  第２の弁室
３３  第２の穴
３４  第３の流路
３５  第４の流路
３６  第２のざぐり穴
３７  第１の線状部
３８  第１の弾性部
３９  第１の環状部
４０  第２の線状部
４１  第２の弾性部
４２  第２の環状部
４３  バルブ
４４  弁体
４５  弁室
４６  穴
４７，４８  流路
４９  線状部
５０  弾性部
【図１】
2018132131.tif 000003
【図２】
2018132131.tif 000004
【図３】
2018132131.tif 000005
【図４】
2018132131.tif 000006
【図５】
2018132131.tif 000007
【図６】
2018132131.tif 000008
【図７】
2018132131.tif 000009
【図８】
2018132131.tif 000010
【図９】
2018132131.tif 000011
【図１０】
2018132131.tif 000012
【図１１】
2018132131.tif 000013
【図１２】
2018132131.tif 000014
【図１３】
2018132131.tif 000015
【図１４】
2018132131.tif 000016
【図１５】
2018132131.tif 000017
【図１６】
2018132131.tif 000018
【図１７】
2018132131.tif 000019
【図１８】
2018132131.tif 000020
【図１９】
2018132131.tif 000021